(57)【特許請求の範囲】
【請求項１】
少なくとも１本の電力回収兼用アンテナと、
前記電力回収兼用アンテナで送受信する無線信号を処理する無線ブロックと、
前記電力回収兼用アンテナの受信信号から電力を回収する電力回収ブロックと、
前記電力回収兼用アンテナを前記無線ブロック又は前記電力回収ブロックに接続切換する接続切換部と、
を具備し、
前記無線ブロックが所望する通信速度に達するように、前記接続切換部が前記電力回収兼用アンテナを前記無線ブロック並びに前記電力回収ブロックに接続するデューティー比を設定する、
無線通信装置。
【請求項２】
前記デューティー比の設定限界においても前記無線ブロックが前記所望する通信速度に達しないときには、前記接続切換部が前記電力回収兼用アンテナを前記無線ブロックへの接続に固定する、
請求項１に記載の無線通信装置。
【請求項３】
前記電力回収兼用アンテナを複数本備える、
請求項１に記載の無線通信装置。
【請求項４】
前記デューティー比の設定限界においても前記無線ブロックが前記所望する通信速度に達しないときには、前記複数の電力回収兼用アンテナのうち前記接続切換部が前記無線ブロックへの接続に固定する本数を順次増やしていく、
請求項３に記載の無線通信装置。
【請求項５】
前記デューティー比の設定限界においても前記無線ブロックが前記所望する通信速度に達しないときには、前記複数の電力回収兼用アンテナのうち前記接続切換部が前記無線ブロックへの接続に固定するアンテナを変更する、
請求項４に記載の無線通信装置。
【請求項６】
前記無線ブロックは、前記接続切換部が複数本の前記電力回収兼用アンテナを前記無線ブロックに接続しているときにはＭＩＭＯで通信処理を行ない、１本の前記電力回収兼用アンテナのみを前記無線ブロックに接続しているときはＳＩＳＯで通信処理を行ない、前記電力回収兼用アンテナがまったく前記無線ブロックに接続されないときには通信処理を停止する、
請求項３に記載の無線通信装置。
【請求項７】
前記接続切換部を介さず前記無線ブロックに直接接続される少なくとも１本の通信専用アンテナをさらに備える、
請求項１に記載の無線通信装置。
【請求項８】
前記デューティー比の設定限界においても前記無線ブロックが前記所望する通信速度に達しないときには、前記接続切換部が前記電力回収兼用アンテナを前記無線ブロックへの接続に固定する、
請求項７に記載の無線通信装置。
【請求項９】
前記無線ブロックは、前記接続切換部が少なくとも１本の前記電力回収兼用アンテナを前記無線ブロックに接続しているときには前記通信専用アンテナとともに用いてＭＩＭＯで通信処理を行ない、１本の前記通信専用アンテナのみが前記無線ブロックに接続されているときはＳＩＳＯで通信処理を行なう、
請求項７に記載の無線通信装置。
【請求項１０】
それぞれ電力回収兼用アンテナを有して前記電力回収兼用アンテナで送受信する無線信号を処理する複数の無線ブロックと、
前記の各無線ブロックが有する前記電力回収兼用アンテナの受信信号から電力を回収する電力回収ブロックと、
前記複数の無線ブロックのうちいずれの前記電力回収兼用アンテナを用いて前記電力回収ブロックで電力の回収を行なうかを選択する選択部と、
を具備する無線通信装置。
【請求項１１】
前記複数の無線ブロックは互いに異なる無線周波数を利用する、
請求項１０に記載の無線通信装置。
【請求項１２】
前記選択部は、前記複数の無線ブロックのそれぞれの受信信号強度に基づいて、前記複数の無線ブロックのうちいずれの前記電力回収兼用アンテナを用いて前記電力回収ブロックで電力の回収を行なうかを選択する、
請求項１０に記載の無線通信装置。
【請求項１３】
前記複数の無線ブロックはそれぞれ、自分が有する前記電力回収兼用アンテナを前記無線ブロック又は前記選択部を介して前記電力回収ブロックに接続切換する接続切換部を備える、
請求項１０に記載の無線通信装置。
【請求項１４】
前記選択部によって選択された前記無線ブロックでは、所望する通信速度に達するように、前記接続切換部が前記電力回収兼用アンテナを前記無線ブロック並びに前記電力回収ブロックに接続するデューティー比を設定する、
請求項１３に記載の無線通信装置。
【請求項１５】
前記選択部によって選択された前記無線ブロックでは、前記デューティー比の設定限界においても前記所望する通信速度に達しないときには、前記接続切換部が前記電力回収兼用アンテナを前記無線ブロックへの接続に固定する、
請求項１４に記載の無線通信装置。
【請求項１６】
前記複数の無線ブロックのうち少なくとも一部は、前記選択部を介さず自分に直接接続される少なくとも１本の通信専用アンテナをさらに備える、
請求項１０に記載の無線通信装置。
【請求項１７】
それぞれ無線信号を処理する複数の無線ブロックと、
前記複数の無線ブロックの各々に設けられた電力回収兼用アンテナと、
前記の各無線ブロックが有する前記電力回収兼用アンテナの受信信号から電力を回収する電力回収ブロックと、
前記複数の無線ブロックの各々に設けられた、前記電力回収兼用アンテナを前記無線ブロック又は前記電力回収ブロックに接続切換する接続切換部と、
を具備する無線通信装置。
【請求項１８】
前記複数の無線ブロックはそれぞれ、自分が有する前記電力回収兼用アンテナを前記無線ブロック又は前記電力回収ブロックのいずれかに接続切換する接続切換部を備える、
請求項１７に記載の無線通信装置。
【請求項１９】
前記複数の無線ブロックの各々に設けられた前記接続切換部はそれぞれ、前記無線ブロックで所望する通信速度に達するように前記電力回収兼用アンテナを前記無線ブロック並びに前記電力回収ブロックに接続するデューティー比を設定する、
請求項１７に記載の無線通信装置。
【請求項２０】
前記複数の無線ブロックの各々に設けられた前記接続切換部はそれぞれ、前記デューティー比の設定限界においても前記所望する通信速度に達しないときには、前記電力回収兼用アンテナを前記無線ブロックへの接続に固定する、
請求項１９に記載の無線通信装置。
【請求項２１】
前記複数の無線ブロックのうち少なくとも一部は、前記接続切換部を介さず自分に直接接続される少なくとも１本の通信専用アンテナをさらに備える、
請求項１７に記載の無線通信装置。
【請求項２２】
少なくとも１本の電力回収兼用アンテナと、
前記電力回収兼用アンテナで送受信する無線信号を処理する無線ブロックと、
前記電力回収兼用アンテナの受信信号から電力を回収する電力回収ブロックと、
前記電力回収兼用アンテナを前記無線ブロック又は前記電力回収ブロックに接続切換する接続切換部と、
を具備し、
前記無線ブロックが所望する通信速度に達するように、前記接続切換部が前記電力回収兼用アンテナを前記無線ブロック並びに前記電力回収ブロックに接続するデューティー比を設定する、
電子機器。
【請求項２３】
それぞれ電力回収兼用アンテナを有して前記電力回収兼用アンテナで送受信する無線信号を処理する複数の無線ブロックと、
前記の各無線ブロックが有する前記電力回収兼用アンテナの受信信号から電力を回収する電力回収ブロックと、
前記複数の無線ブロックのうちいずれの前記電力回収兼用アンテナを用いて前記電力回収ブロックで電力の回収を行なうかを選択する選択部と、
を具備する電子機器。
【請求項２４】
それぞれ無線信号を処理する複数の無線ブロックと、
前記複数の無線ブロックの各々に設けられた電力回収兼用アンテナと、
前記の各無線ブロックが有する前記電力回収兼用アンテナの受信信号から電力を回収する電力回収ブロックと、
前記複数の無線ブロックの各々に設けられた、前記電力回収兼用アンテナを前記無線ブロック又は前記電力回収ブロックに接続切換する接続切換部と、
を具備する電子機器。
【発明の詳細な説明】
【技術分野】
【０００１】
本明細書で開示する技術は、電波信号の送受信を行なう無線通信装置並びに電子機器に係り、特に、電波信号の送受信を行なうとともに、空間電波を効果的に活用する無線通信装置並びに電子機器に関する。
【背景技術】
【０００２】
近年、数百ＭＨｚから数ＧＨｚの比較的高い周波数帯域を無線伝送に使用する無線伝送システムが各種普及している。例えば、２ＧＨｚ帯や５ＧＨｚ帯などを使用する無線ＬＡＮ（Ｌｏｃａｌ  Ａｒｅａ  Ｎｅｔｗｏｒｋ）システムや、ＬＴＥ（Ｌｏｎｇ  Ｔｅｒｍ  Ｅｖｏｌｕｔｉｏｎ）や３Ｇ通信システム向けに、７００ＭＨｚ帯から２ＧＨｚ帯を使用する無線通信装置や、無線通信機能を搭載した電子機器が開発され、実用化されている。
【０００３】
また、複数のアンテナ素子を配置して、多重波によるフェージングを抑制するなどのダイバーシティ効果が得られることが広く知られている。例えば、電磁信号の送受信回路に給電ラインのネットワークにより接続されている第１及び第２の放射素子を少なくとも基板上に有する、放射ダイバーシティを伴う送信／受信アンテナにについて提案がなされている（例えば、特許文献１を参照のこと）。
【０００４】
他方、各社でエネルギー・ハーベスティングの応用に注力し始めている。例えば、消費電力が小さいセンサーやコントローラーを、商用電源やバッテリーではなく、環境エネルギーを利用して駆動することができる。無線通信の分野においても、環境発電の一環として、空間電波の活用が今後の課題とされている。
【０００５】
環境発電におけるエネルギー源として、例えば太陽光、振動、熱、環境電磁波を挙げることができる。環境発電を利用した無線通信装置や無線通信システムについていくつかの提案がなされている（例えば、特許文献２〜４を参照のこと）。また、アンテナが空間でエネルギーを受け取って、その一部を獲得するエネルギー・ハーベスティング回路について提案がなされている（例えば、特許文献５を参照のこと）。
【０００６】
しかしながら、電子機器から放射される電力は、利用されることなく無駄に捨て去られているのが実情である。また、通信相手機器や周囲環境の電波をアンテナで受信し、整流して回収するのが一般的である。アンテナを無線通信とハーベスティングで共用する場合、アンテナをハーベスティングに利用できるかどうかは、通信状況や通信機器の利用形態などによって変化するが、アンテナの利用を動的に制御する技術はあまり見受けられない。
【先行技術文献】
【特許文献】
【０００７】
【特許文献１】特表２００９−５１４２９２号公報
【特許文献２】特開２００５−１８２６４３号公報
【特許文献３】特開２００４−３５５１６４号公報
【特許文献４】特開２００２−１１８４８０号公報
【特許文献５】特表２００５−５３６１５０号公報
【発明の概要】
【発明が解決しようとする課題】
【０００８】
本明細書で開示する技術の目的は、電波信号の送受信を行なうとともに、空間電波を効果的に活用することができる、優れた無線通信装置並びに電子機器を提供することにある。
【課題を解決するための手段】
【０００９】
本願は、上記課題を参酌してなされたものであり、請求項１に記載の技術は、
少なくとも１本の電力回収兼用アンテナと、
前記電力回収兼用アンテナで送受信する無線信号を処理する無線ブロックと、
前記電力回収兼用アンテナの受信信号から電力を回収する電力回収ブロックと、
前記電力回収兼用アンテナを前記無線ブロック又は前記電力回収ブロックに接続切換する接続切換部と、
を具備し、
前記無線ブロックが所望する通信速度に達するように、前記接続切換部が前記電力回収兼用アンテナを前記無線ブロック並びに前記電力回収ブロックに接続するデューティー比を設定する、
無線通信装置である。
【００１０】
本願の請求項２に記載の技術によれば、請求項１に記載の無線通信装置は、前記デューティー比の設定限界においても前記無線ブロックが前記所望する通信速度に達しないときには、前記接続切換部が前記電力回収兼用アンテナを前記無線ブロックへの接続に固定するように構成されている。
【００１１】
本願の請求項３に記載の技術によれば、請求項１に記載の無線通信装置は、前記電力回収兼用アンテナを複数本備えている。
【００１２】
本願の請求項４に記載の技術によれば、請求項３に記載の無線通信装置は、前記デューティー比の設定限界においても前記無線ブロックが前記所望する通信速度に達しないときには、前記複数の電力回収兼用アンテナのうち前記接続切換部が前記無線ブロックへの接続に固定する本数を順次増やしていくように構成されている。
【００１３】
本願の請求項５に記載の技術によれば、請求項４に記載の無線通信装置は、前記デューティー比の設定限界においても前記無線ブロックが前記所望する通信速度に達しないときには、前記複数の電力回収兼用アンテナのうち前記接続切換部が前記無線ブロックへの接続に固定するアンテナを変更するように構成されている。
【００１４】
本願の請求項６に記載の技術によれば、請求項５に記載の無線通信装置の無線ブロックは、前記接続切換部が複数本の前記電力回収兼用アンテナを前記無線ブロックに接続しているときにはＭＩＭＯで通信処理を行ない、１本の前記電力回収兼用アンテナのみを前記無線ブロックに接続しているときはＳＩＳＯで通信処理を行ない、前記電力回収編用アンテナがまったく前記無線ブロックに接続されないときには通信処理を停止するように構成されている。
【００１５】
本願の請求項７に記載の技術によれば、請求項１に記載の無線通信装置はも前記接続切換部を介さず前記無線ブロックに直接接続される少なくとも１本の通信専用アンテナをさらに備えている。
【００１６】
本願の請求項８に記載の技術によれば、請求項７に記載の無線通信装置は、前記デューティー比の設定限界においても前記無線ブロックが前記所望する通信速度に達しないときには、前記接続切換部が前記電力回収兼用アンテナを前記無線ブロックへの接続に固定するように構成されている。
【００１７】
本願の請求項９に記載の技術によれば、請求項７に記載の無線通信装置の無線ブロックは、前記接続切換部が少なくとも１本の前記電力回収兼用アンテナを前記無線ブロックに接続しているときには前記通信専用アンテナとともに用いてＭＩＭＯで通信処理を行ない、１本の前記通信専用アンテナのみが前記無線ブロックに接続されているときはＳＩＳＯで通信処理を行なうように構成されている。
【００１８】
また、本願の請求項１０に記載の技術は、
それぞれ電力回収兼用アンテナを有して前記電力回収兼用アンテナで送受信する無線信号を処理する複数の無線ブロックと、
前記の各無線ブロックが有する前記電力回収兼用アンテナの受信信号から電力を回収する電力回収ブロックと、
前記複数の無線ブロックのうちいずれの前記電力回収兼用アンテナ用いて前記前記電力回収ブロックで電力の回収を行なうかを選択する選択部と、
を具備する無線通信装置である。
【００１９】
本願の請求項１１に記載の技術によれば、請求項１０に記載の無線通信装置は、前記複数の無線ブロックが互いに異なる無線周波数を利用するように構成されている。
【００２０】
本願の請求項１２に記載の技術によれば、請求項１０に記載の無線通信装置の選択部は、前記複数の無線ブロックのそれぞれの受信信号強度に基づいて、前記複数の無線ブロックのうちいずれの前記電力回収兼用アンテナ用いて前記前記電力回収ブロックで電力の回収を行なうかを選択するように構成されている。
【００２１】
本願の請求項１３に記載の技術によれば、請求項１０に記載の無線通信装置において、前記複数の無線ブロックはそれぞれ、自分が有する前記電力回収兼用アンテナを前記無線ブロック又は前記選択部を介して前記電力回収ブロックに接続切換する接続切換部を備えている。
【００２２】
本願の請求項１４に記載の技術によれば、請求項１３に記載の無線通信装置は、前記選択部によって選択された前記無線ブロックでは、所望する通信速度に達するように、前記接続切換部が前記電力回収兼用アンテナを前記無線ブロック並びに前記電力回収ブロックに接続するデューティー比を設定するように構成されている。
【００２３】
本願の請求項１５に記載の技術によれば、請求項１４に記載の無線通信装置は、前記選択部によって選択された前記無線ブロックでは、前記デューティー比の設定限界においても前記所望する通信速度に達しないときには、前記接続切換部が前記電力回収兼用アンテナを前記無線ブロックへの接続に固定するように構成されている。
【００２４】
本願の請求項１６に記載の技術によれば、請求項１０に記載の無線通信装置において、前記複数の無線ブロックのうち少なくとも一部は、前記接続切換部を介さず自分に直接接続される少なくとも１本の通信専用アンテナをさらに備えている。
【００２５】
また、本願の請求項１７に記載の技術は、
それぞれ無線信号を処理する複数の無線ブロックと、
前記複数の無線ブロックの各々に設けられた電力回収兼用アンテナと、
前記の各無線ブロックが有する前記電力回収兼用アンテナの受信信号から電力を回収する電力回収ブロックと、
前記複数の無線ブロックの各々に設けられた、前記電力回収兼用アンテナを前記無線ブロック又は前記電力回収ブロックに接続切換する接続切換部と、
を具備する無線通信装置である。
【００２６】
本願の請求項１８に記載の技術によれば、請求項１７に記載の無線通信装置において、前記複数の無線ブロックはそれぞれ、自分が有する前記電力回収兼用アンテナを前記無線ブロック又は前記選択部を介して前記電力回収ブロックに接続切換する接続切換部を備えている。
【００２７】
本願の請求項１９に記載の技術によれば、請求項１７に記載の無線通信装置において、前記複数の無線ブロックはそれぞれ、自分が有する前記電力回収兼用アンテナを前記無線ブロック又は前記選択部を介して前記電力回収ブロックに接続切換する接続切換部を備え前記複数の無線ブロックの各々に設けられた前記接続切換部はそれぞれ、前記無線ブロックで所望する通信速度に達するように前記電力回収兼用アンテナを前記無線ブロック並びに前記電力回収ブロックに接続するデューティー比を設定するように構成されている。
【００２８】
本願の請求項２０に記載の技術によれば、請求項１９に記載の無線通信装置において、前記複数の無線ブロックの各々に設けられた前記接続切換部はそれぞれ、前記デューティー比の設定限界においても前記所望する通信速度に達しないときには、前記電力回収兼用アンテナを前記無線ブロックへの接続に固定するように構成されている。
【００２９】
本願の請求項２１に記載の技術によれば、請求項１７に記載の無線通信装置が備える前記複数の無線ブロックのうち少なくとも一部は、前記接続切換部を介さず自分に直接接続される少なくとも１本の通信専用アンテナをさらに備えている。
【００３０】
また、本願の請求項２２に記載の技術は、
少なくとも１本の電力回収兼用アンテナと、
前記電力回収兼用アンテナで送受信する無線信号を処理する無線ブロックと、
前記電力回収兼用アンテナの受信信号から電力を回収する電力回収ブロックと、
前記電力回収兼用アンテナを前記無線ブロック又は前記電力回収ブロックに接続切換する接続切換部と、
を具備し、
前記無線ブロックが所望する通信速度に達するように、前記接続切換部が前記電力回収兼用アンテナを前記無線ブロック並びに前記電力回収ブロックに接続するデューティー比を設定する、
電子機器である。
【００３１】
また、本願の請求項２３に記載の技術は、
それぞれ電力回収兼用アンテナを有して前記電力回収兼用アンテナで送受信する無線信号を処理する複数の無線ブロックと、
前記の各無線ブロックが有する前記電力回収兼用アンテナの受信信号から電力を回収する電力回収ブロックと、
前記複数の無線ブロックのうちいずれの前記電力回収兼用アンテナ用いて前記前記電力回収ブロックで電力の回収を行なうかを選択する選択部と、
を具備する電子機器である。
【００３２】
また、本願の請求項２４に記載の技術は、
それぞれ無線信号を処理する複数の無線ブロックと、
前記複数の無線ブロックの各々に設けられた電力回収兼用アンテナと、
前記の各無線ブロックが有する前記電力回収兼用アンテナの受信信号から電力を回収する電力回収ブロックと、
前記複数の無線ブロックの各々に設けられた、前記電力回収兼用アンテナを前記無線ブロック又は前記電力回収ブロックに接続切換する接続切換部と、
を具備する電子機器である。
【発明の効果】
【００３３】
本明細書で開示する技術によれば、電波信号の送受信を行なうとともに、空間電波を効果的に活用することができる、優れた無線通信装置並びに電子機器を提供することができる。
【００３４】
また、本明細書で開示する技術によれば、通信速度に応じてアンテナに接続される通信回路とハーベスティング回路の切り換えを行なうことで、通信相手機器や周囲環境の電波を好適に回収して利用することができる、優れた無線通信装置並びに電子機器を提供することができる。
【００３５】
また、本明細書で開示する技術によれば、無線ＬＡＮ、ＷｉＭＡＸ、ＷＷＡＮ、Ｂｌｕｅｔｏｏｔｈ通信、ＲＦＩＤ、ＷｉｒｅｌｅｓｓＨＤなど複数の無線システムのうち強度が最大のものを判別し選択して、電波を回収して利用することができる、優れた無線通信装置並びに電子機器を提供することができる。
【００３６】
本明細書で開示する技術は、電子ブックやノートブックＰＣ（Ｐｅｒｓｏｎａｌ  Ｃｏｍｐｕｔｅｒ）、タブレット、コミュニケーターなどの情報端末に適用することができ、情報端末の利用形態などに応じて通信とハーベスティングの動作を切り換えて、空間の電波エネルギー資源を効果的に活用することができる。また、情報端末がアクセスポイントや基地局に近い状況の場合には、特に大きな電力回収の効果が期待できる。
【００３７】
本明細書で開示する技術のさらに他の目的、特徴や利点は、後述する実施形態や添付する図面に基づくより詳細な説明によって明らかになるであろう。
【図面の簡単な説明】
【００３８】
【図１】図１は、本明細書で開示する技術の第１の実施形態に係る無線通信装置１００の構成を模式的に示した図である。
【図２】図２は、無線通信装置１００の第１のハーベスティング・モードにおける動作手順を示したフローチャートである。
【図３】図３は、無線通信装置１００の第２のハーベスティング・モードにおける動作手順を示したフローチャートである。
【図４】図４は、本明細書で開示する技術の第２の実施形態に係る無線通信装置４００の構成を模式的に示した図である。
【図５】図５は、無線通信装置４００の第３のハーベスティング・モードにおける動作手順を示したフローチャートである。
【図６】図６は、本明細書で開示する技術の第３の実施形態に係る無線通信装置６００の構成を模式的に示した図である。
【図７】図７は、無線通信装置６００のハーベスティング・モードにおける動作手順を示したフローチャートである。
【図８】図８は、本明細書で開示する技術の第４の実施形態に係る無線通信装置８００の構成を模式的に示した図である。
【図９】図９は、無線通信装置８００がハーベスティングを行なう際の動作手順を示したフローチャートである。
【図１０】図１０は、インピーダンス整合部の構成例を示した図である。
【図１１】図１１は、本明細書で開示する技術の第５の実施形態に係る無線通信装置１１００の構成を模式的に示した図である。
【発明を実施するための形態】
【００３９】
以下、図面を参照しながら本明細書で開示する技術の実施形態について詳細に説明する。
【００４０】
図１には、本明細書で開示する技術の第１の実施形態に係る無線通信装置１００の構成を模式的に示している。
【００４１】
図示の無線通信装置１００は、第１のアンテナ素子１０１と第２のアンテナ素子１０２からなるダイバーシティー・アンテナを備えている。図示の構成例では、第１のアンテナ素子１０１と第２のアンテナ素子１０２は、ともに無線通信とハーベスティング兼用のアンテナであり、それぞれＳＰＤＴ（Ｓｉｎｇｌｅ  Ｐｏｌｅ  Ｄｏｕｂｌｅ  Ｔｈｒｏｗ：単極双投）スイッチ１０３、１０４を介して無線ブロック１０５又はハーベスティング・ブロック１０６に択一的に接続される。具体的には、各ＳＰＤＴスイッチ１０３、１０４の「１」側の端子に無線ブロック１０５が接続され、「２」側の端子にハーベスティング・ブロック１０６が接続されている。また、各ＳＰＤＴスイッチ１０３、１０４の「２」側の端子とハーベスティング・ブロック１０６間の各伝送信号線路上には、インピーダンス整合部ＭＮ（Ｍａｔｃｈｉｎｇ  Ｎｅｔｗｏｒｋ）１、ＭＮ２がそれぞれ挿入されている。
【００４２】
無線ブロック１０５は、無線ＬＡＮ、ＷｉＭＡＸ、ＷＷＡＮ、Ｂｌｕｅｔｏｏｔｈ通信、ＲＦＩＤ、ＷｉｒｅｌｅｓｓＨＤなどの無線システムにおける無線動作を行なう回路モジュールからなる。また、ハーベスティング・ブロック１０６は、入力信号を整流する整流部（レクティファイヤー、ブースター）１０６Ａと、整流部１０６Ａからの出力をＤＣ電源として回収する電力回収部１０６Ｂを備えている。
【００４３】
ＳＰＤＴスイッチ１０３の「１」側の端子をイネーブルにすると、無線ブロック１０５からの送信電力が第１のアンテナ素子１０１に直接給電されて、無線信号が空中に放出される。また、第１のアンテナ素子１０１の受信信号は、無線ブロック１０５に供給され、無線ブロック１０５内では受信処理が行なわれる。一方、ＳＰＤＴスイッチ１０３の「２」側の端子をイネーブルにすると、第１のアンテナ素子１０１の受信信号は、ＭＮ１でインピーダンスの整合がとられた後、ハーベスティング・ブロック１０６に入力され、整流して電力として回収される。
【００４４】
また、ＳＰＤＴスイッチ１０４の「１」側の端子をイネーブルにすると、無線ブロック１０５からの送信電力が第２のアンテナ素子１０２に直接給電されて、無線信号が空中に放出される。また、第２のアンテナ素子１０２の受信信号は、無線ブロック１０５に供給され、無線ブロック１０５内では受信処理が行なわれる。双方のＳＰＤＴスイッチ１０３、１０４の「１」側の端子がイネーブルにされているとき、第１のアンテナ素子１０１と第２のアンテナ素子１０２はダイバーシティー・アンテナとして作用して、無線ブロック１０５における無線動作の利用に供される。一方、ＳＰＤＴスイッチ１０４の「２」側の端子をイネーブルにすると、第２のアンテナ素子１０２の受信信号は、ＭＮ２でインピーダンスの整合がとられた後、ハーベスティング・ブロック１０６に入力され、整流して電力として回収される。
【００４５】
無線通信装置１００は、無線ブロック１０５における通信速度に応じて、第１のアンテナ素子１０１及び第２のアンテナ素子１０２の各々に接続される無線ブロック１０５とハーベスティング・ブロック１０６の切り換えを行なうことにより、通信相手機器や周囲環境の電波を好適に回収して利用することができる。
【００４６】
無線通信装置１００におけるハーベスティング方法として、第１のアンテナ素子１０１及び第２のアンテナ素子１０２の２本同時に無線動作とハーベスティングの切り換えを行なう「第１のハーベスティング・モード」と、第１のアンテナ素子１０１又は第２のアンテナ素子１０２のうちいずれか１本のみ無線動作とハーベスティングの切り換えを行なう「第２のハーベスティング・モード」を挙げることができる。
【００４７】
図２には、無線通信装置１００の第１のハーベスティング・モードにおける動作手順をフローチャートの形式で示している。
【００４８】
まず、各ＳＰＤＴスイッチ１０３、１０４の「１」側の端子をイネーブルにするデューティー比を設定する（ステップＳ２０１）。
【００４９】
そして、設定されたデューティー比に従って各ＳＰＤＴスイッチ１０３、１０４のスイッチングを同時に行ない、第１のアンテナ素子１０１及び第２のアンテナ素子１０２の２本を同時に用いた通信動作及びハーベスティングを交互に行なう（ステップＳ２０２）。
【００５０】
各ＳＰＤＴスイッチ１０３、１０４の「１」側の端子をイネーブルにすると、無線ブロック１０５は、第１のアンテナ素子１０１及び第２のアンテナ素子１０２の２本を同時に利用して通信動作を行なう。また、各ＳＰＤＴスイッチ１０３、１０４の「２」側の端子をイネーブルにすると、ハーベスティング・ブロック１０６は、ハーベスティング、すなわち第１のアンテナ素子１０１及び第２のアンテナ素子１０２の２本からの受信信号から電力を回収する。
【００５１】
なお、通信時は、常にＭＩＭＯ（Ｍｕｌｔｉｐｌｅ  Ｉｎｐｕｔ  Ｍｕｌｔｉｐｌｅ  Ｏｕｔｐｕｔ）で通信動作が行なわれる。一方のアンテナ素子がハーベスティング側に切り換わったときには通信は切断となる。
【００５２】
次いで、無線ブロック１０５の通信動作時に、一定時間ウィンドウでの平均の通信速度を計測する。そして、第１のアンテナ素子１０１及び第２のアンテナ素子１０２の２本を同時に通信動作及びハーベスティングを交互に行なっても、十分な通信速度が得られているかどうかをチェックする（ステップＳ２０３）。ここで、十分な通信速度が得られている場合には（ステップＳ２０３のＹｅｓ）、ステップＳ２０２に戻り、設定されたデューティー比のままで、第１のアンテナ素子１０１及び第２のアンテナ素子１０２の２本を同時に用いた通信動作及びハーベスティングを交互に行なう。
【００５３】
他方、第１のアンテナ素子１０１及び第２のアンテナ素子１０２の２本を同時に通信動作及びハーベスティングを交互に行なうと十分な通信速度が得られない場合には（ステップＳ２０３のＮｏ）、次いで、現在設定しているデューティー比が設定限界か否かをチェックする（ステップＳ２０４）。デューティー比の設定限界まで達していなければ（ステップＳ２０４のＮｏ）、ステップＳ２０１に戻り、通信動作のデューティー比を１段階高く設定し直した後、引き続き、第１のアンテナ素子１０１及び第２のアンテナ素子１０２の２本を同時に用いた通信動作及びハーベスティングを交互に行なう（ステップＳ２０２）。
【００５４】
また、デューティー比の設定限界に達しても通信速度が十分でないときには（ステップＳ２０４のＹｅｓ）、第２のハーベスティング・モードに遷移して、第１のアンテナ素子１０１又は第２のアンテナ素子１０２のいずれか一方のアンテナで常に通信動作を行なうことで、通信速度の向上を図る（ステップＳ２０５）。あるいは、ハーベスティングを停止し、第１のアンテナ素子１０１及び第２のアンテナ素子１０２の２本を同時に通信に用いて、通信速度の向上を図る。ハーベスティングを停止するときには、以降は各ＳＰＤＴスイッチ１０３、１０４をともに「１」側の端子に固定する。
【００５５】
図３には、無線通信装置１００の第２のハーベスティング・モードにおける動作手順をフローチャートの形式で示している。
【００５６】
まず、第１のアンテナ素子１０１又は第２のアンテナ素子１０２のうちいずれについて無線動作とハーベスティングの切り換えを行なうのか、選択を行なう（ステップＳ３０１）。例えば、第１のアンテナ素子１０１又は第２のアンテナ素子１０２のうち通信を重視しない方を選択する。以下では、便宜上、第１のアンテナ素子１０１を選択したものとして説明する。
【００５７】
次いで、ＳＰＤＴスイッチ１０３の「１」側の端子をイネーブルにするデューティー比を設定する（ステップＳ３０２）。そして、設定されたデューティー比に従ってＳＰＤＴスイッチ１０３のスイッチングを行ない、第１のアンテナ素子１０１について通信動作及びハーベスティングを交互に行なう（ステップＳ３０３）。
【００５８】
ＳＰＤＴスイッチ１０３の「１」側の端子をイネーブルにすると、無線ブロック１０５は、第１のアンテナ素子１０１及び第２のアンテナ素子１０２の２本を同時に利用して通信動作を行なう。また、ＳＰＤＴスイッチ１０３の「２」側の端子をイネーブルにすると、ハーベスティング・ブロック１０６は、ハーベスティング、すなわち第１のアンテナ素子１０１の受信信号から電力を回収する。
【００５９】
なお、第２のハーベスティング・モードでの通信時はＭＩＭＯで、ハーベスティング側に切り替わったときにはＳＩＳＯ（Ｓｉｎｇｌｅ  Ｉｎｐｕｔ  Ｓｉｎｇｌｅ  Ｏｕｔｐｕｔ）で、それぞれ通信動作が行なわれ、通信自体は持続される。
【００６０】
次いで、無線ブロック１０５の通信動作時に、一定時間ウィンドウでの平均の通信速度を計測する。そして、第１のアンテナ素子１０１について通信動作及びハーベスティングを交互に行なっても、十分な通信速度が得られているかどうかをチェックする（ステップＳ３０４）。ここで、十分な通信速度が得られている場合には（ステップＳ３０４のＹｅｓ）、ステップＳ３０３に戻り、設定されたデューティー比のままで、第１のアンテナ素子１０１について通信動作及びハーベスティングを交互に行なう。
【００６１】
他方、第１のアンテナ素子１０１について通信動作及びハーベスティングを交互に行なうと十分な通信速度が得られない場合には（ステップＳ３０４のＮｏ）、次いで、現在設定しているデューティー比が設定限界か否かをチェックする（ステップＳ３０５）。デューティー比の設定限界まで達していなければ（ステップＳ３０５のＮｏ）、ステップＳ３０２に戻り、通信動作のデューティー比を１段階高く設定し直した後、引き続き、第１のアンテナ素子１０１について通信動作及びハーベスティングを交互に行なう（ステップＳ３０３）。
【００６２】
また、デューティー比の設定限界に達しても通信速度が十分でないときには（ステップＳ３０５４のＹｅｓ）、通信を重視する第２のアンテナ素子１０２を選択し直してハーベスティングを行なうことができないかどうかをチェックする（ステップＳ３０６）。
【００６３】
第２のアンテナ素子１０２についてハーベスティングを行なうことができるときには（ステップＳ３０６のＮｏ）、ステップＳ３０１に戻り、今度は第２のアンテナ素子１０２を選択して、無線動作とハーベスティングの切り換えを行なう（ステップＳ３０２〜Ｓ３０５）。
【００６４】
第２のアンテナ素子１０２に選択し直す、すなわちハーベスティングを行なうアンテナを逆にしても、通信速度が十分でないときには（ステップＳ３０６のＹｅｓ）、ハーベスティングを停止し、第１のアンテナ素子１０１及び第２のアンテナ素子１０２の２本を同時に通信に用いて、通信速度の向上を図る。ハーベスティングを停止するときには、以降は各ＳＰＤＴスイッチ１０３、１０４をともに「１」側の端子に固定する。
【００６５】
また、図４には、本明細書で開示する技術の第２の実施形態に係る無線通信装置４００の構成を模式的に示している。
【００６６】
図示の無線通信装置４００は、第１のアンテナ素子４０１と第２のアンテナ素子４０２からなるダイバーシティー・アンテナを備えている。第１のアンテナ素子４０１は、無線ブロック４０５にのみ接続され、通信専用に用いられる。一方、第２のアンテナ素子４０２は、無線通信とハーベスティング兼用であり、ＳＰＤＴスイッチ４０４を介して無線ブロック４０５又はハーベスティング・ブロック４０６に択一的に接続される。具体的には、ＳＰＤＴスイッチ４０４の「１」側の端子に無線ブロック４０５が接続され、「２」側の端子にハーベスティング・ブロック４０６が接続されている。また、ＳＰＤＴスイッチ４０４の「２」側の端子とハーベスティング・ブロック４０６間の各伝送信号線路上には、インピーダンス整合部ＭＮ２が挿入されている。
【００６７】
無線ブロック４０５は、無線ＬＡＮ、ＷｉＭＡＸ、ＷＷＡＮ、Ｂｌｕｅｔｏｏｔｈ通信、ＲＦＩＤ、ＷｉｒｅｌｅｓｓＨＤなどの無線システムにおける無線動作を行なう回路モジュールからなる。また、ハーベスティング・ブロック４０６は、入力信号を整流する整流部４０６Ａと、整流部４０６Ａからの出力をＤＣ電源として回収する電力回収部４０６Ｂを備えている。
【００６８】
ＳＰＤＴスイッチ４０４の「１」側の端子をイネーブルにすると、無線ブロック４０５からの送信電力が第２のアンテナ素子４０２に直接給電されて、無線信号が空中に放出される。また、第２のアンテナ素子４０２の受信信号は、無線ブロック４０５に供給され、無線ブロック４０５内では受信処理が行なわれる。このとき、第１のアンテナ素子４０１と第２のアンテナ素子４０２はダイバーシティー・アンテナとして作用して、無線ブロック１０５における無線動作の利用に供される。一方、ＳＰＤＴスイッチ４０４の「２」側の端子をイネーブルにすると、第２のアンテナ素子４０２の受信信号は、ＭＮ２でインピーダンスの整合がとられた後、ハーベスティング・ブロック４０６に入力され、整流して電力として回収される。
【００６９】
無線通信装置４００は、無線ブロック４０５における通信速度に応じて、第２のアンテナ素子４０２に接続される無線ブロック４０５とハーベスティング・ブロック４０６の切り換えを行なうことにより、通信相手機器や周囲環境の電波を好適に回収して利用することができる。
【００７０】
無線通信装置４００におけるハーベスティング方法として、第２のアンテナ素子４０２のみ無線動作とハーベスティングの切り換えを行なう「第３のハーベスティング・モード」を挙げることができる。
【００７１】
図５には、無線通信装置４００の第３のハーベスティング・モードにおける動作手順をフローチャートの形式で示している。
【００７２】
まず、ＳＰＤＴスイッチ４０４の「１」側の端子をイネーブルにするデューティー比を設定する（ステップＳ５０１）。
【００７３】
そして、設定されたデューティー比に従ってＳＰＤＴスイッチ４０４のスイッチングを行ない、第２のアンテナ素子４０２について通信動作及びハーベスティングを交互に行なう（ステップＳ５０２）。
【００７４】
ＳＰＤＴスイッチ４０４の「１」側の端子をイネーブルにすると、無線ブロック４０５は、第１のアンテナ素子４０１及び第２のアンテナ素子４０２の２本を同時に利用して通信動作を行なう。また、ＳＰＤＴスイッチ４０４の「２」側の端子をイネーブルにすると、ハーベスティング・ブロック４０６は、ハーベスティング、すなわち第２のアンテナ素子４０２の受信信号から電力を回収する。
【００７５】
なお、第２のアンテナ素子４０２の通信時はＭＩＭＯで、ハーベスティング側に切り替わったときにはＳＩＳＯで、それぞれ通信動作が行なわれ、通信自体は持続される。
【００７６】
次いで、無線ブロック４０５の通信動作時に、一定時間ウィンドウでの平均の通信速度を計測する。そして、第２のアンテナ素子４０２について通信動作及びハーベスティングを交互に行なっても、十分な通信速度が得られているかどうかをチェックする（ステップＳ５０３）。ここで、十分な通信速度が得られている場合には（ステップＳ５０３のＹｅｓ）、ステップＳ５０２に戻り、設定されたデューティー比のままで、第２のアンテナ素子４０２について通信動作及びハーベスティングを交互に行なう。
【００７７】
他方、第２のアンテナ素子４０２について通信動作及びハーベスティングを交互に行なうと十分な通信速度が得られない場合には（ステップＳ５０３のＮｏ）、次いで、現在設定しているデューティー比が設定限界か否かをチェックする（ステップＳ５０４）。デューティー比の設定限界まで達していなければ（ステップＳ５０４のＮｏ）、ステップＳ５０１に戻り、通信動作のデューティー比を１段階高く設定し直した後、引き続き、第２のアンテナ素子４０２について通信動作及びハーベスティングを交互に行なう（ステップＳ５０２）。
【００７８】
また、デューティー比の設定限界に達しても通信速度が十分でないときには（ステップＳ５０４のＹｅｓ）、ハーベスティングを停止し、第１のアンテナ素子４０１及び第２のアンテナ素子４０２の２本を同時に通信に用いて、通信速度の向上を図る。ハーベスティングを停止するときには、以降はＳＰＤＴスイッチ４０４を「１」側の端子に固定する。
【００７９】
また、図６には、本明細書で開示する技術の第３の実施形態に係る無線通信装置６００の構成を模式的に示している。
【００８０】
図示の無線通信装置６００は、1本のアンテナ素子６０１のみを備えている。アンテナ素子６０１は、無線通信とハーベスティング兼用であり、ＳＰＤＴスイッチ６０３を介して無線ブロック６０５又はハーベスティング・ブロック６０６に択一的に接続される。具体的には、ＳＰＤＴスイッチ６０３の「１」側の端子に無線ブロック６０５が接続され、「２」側の端子にハーベスティング・ブロック６０６が接続されている。また、ＳＰＤＴスイッチ６０３の「２」側の端子とハーベスティング・ブロック６０６間の各伝送信号線路上には、インピーダンス整合部ＭＮ１が挿入されている。
【００８１】
無線ブロック６０５は、無線ＬＡＮ、ＷｉＭＡＸ、ＷＷＡＮ、Ｂｌｕｅｔｏｏｔｈ通信、ＲＦＩＤ、ＷｉｒｅｌｅｓｓＨＤなどの無線システムにおける無線動作を行なう回路モジュールからなる。また、ハーベスティング・ブロック６０６は、入力信号を整流する整流部６０６Ａと、整流部６０６Ａからの出力をＤＣ電源として回収する電力回収部６０６Ｂを備えている。
【００８２】
ＳＰＤＴスイッチ６０３の「１」側の端子をイネーブルにすると、無線ブロック６０５からの送信電力がアンテナ素子６０１に直接給電されて、無線信号が空中に放出される。また、アンテナ素子６０１の受信信号は、無線ブロック６０５に供給され、無線ブロック６０５内では受信処理が行なわれる。一方、ＳＰＤＴスイッチ６０３の「２」側の端子をイネーブルにすると、アンテナ素子６０１の受信信号は、ＭＮ１でインピーダンスの整合がとられた後、ハーベスティング・ブロック６０６に入力され、整流して電力として回収される。
【００８３】
無線通信装置６００は、無線ブロック６０５における通信速度に応じて、アンテナ素子６０１に接続される無線ブロック６０５とハーベスティング・ブロック６０６の切り換えを行なうことにより、通信相手機器や周囲環境の電波を好適に回収して利用することができる。
【００８４】
無線通信装置６００におけるハーベスティング方法として、アンテナ素子６０１の無線動作とハーベスティングの切り換えを行なうことであり、上記の第１のハーベスティング・モードに類似する。
【００８５】
図７には、無線通信装置６００のハーベスティング・モードにおける動作手順をフローチャートの形式で示している。
【００８６】
まず、ＳＰＤＴスイッチ６０３の「１」側の端子をイネーブルにするデューティー比を設定する（ステップＳ７０１）。
【００８７】
そして、設定されたデューティー比に従ってＳＰＤＴスイッチ６０３のスイッチングを行ない、アンテナ素子６０１について通信動作及びハーベスティングを交互に行なう（ステップＳ７０２）。
【００８８】
ＳＰＤＴスイッチ６０３の「１」側の端子をイネーブルにすると、無線ブロック６０５は、アンテナ素子６０１を利用して通信動作を行なう。また、ＳＰＤＴスイッチ６０３の「２」側の端子をイネーブルにすると、ハーベスティング・ブロック６０６は、ハーベスティング、アンテナ素子６０１の受信信号から電力を回収する。
【００８９】
なお、通信時は、常にＳＩＳＯで通信動作が行なわれる。アンテナ素子６０１がハーベスティング側に切り換わったときには通信は切断となる。
【００９０】
次いで、無線ブロック６０５の通信動作時に、一定時間ウィンドウでの平均の通信速度を計測する。そして、アンテナ素子６０１について通信動作及びハーベスティングを交互に行なっても、十分な通信速度が得られているかどうかをチェックする（ステップＳ７０３）。ここで、十分な通信速度が得られている場合には（ステップＳ７０３のＹｅｓ）、ステップＳ７０２に戻り、設定されたデューティー比のままで、アンテナ素子６０１について通信動作及びハーベスティングを交互に行なう。
【００９１】
他方、アンテナ素子６０１について通信動作及びハーベスティングを交互に行なうと十分な通信速度が得られない場合には（ステップＳ７０３のＮｏ）、次いで、現在設定しているデューティー比が設定限界か否かをチェックする（ステップＳ７０４）。デューティー比の設定限界まで達していなければ（ステップＳ７０４のＮｏ）、ステップＳ７０１に戻り、通信動作のデューティー比を１段階高く設定し直した後、引き続き、アンテナ素子６０１について通信動作及びハーベスティングを交互に行なう（ステップＳ７０２）。
【００９２】
また、デューティー比の設定限界に達しても通信速度が十分でないときには（ステップＳ７０４のＹｅｓ）、ハーベスティングを停止して、通信速度の向上を図る。ハーベスティングを停止するときには、以降はＳＰＤＴスイッチ６０３を「１」側の端子に固定する。
【００９３】
また、図８には、本明細書で開示する技術の第４の実施形態に係る無線通信装置８００の構成を模式的に示している。
【００９４】
図示の無線通信装置８００は、互いに異なる無線周波数を利用する複数の無線ブロック８０１〜８０７を備えている。ノートブックＰＣ（Ｐｅｒｓｏｎａｌ  Ｃｏｍｐｕｔｅｒ）を始め、１台の電子機器が複数の無線ブロックを搭載することは一般的となりつつある。各無線ブロック８０１〜８０７は、図４に示した実施形態と同様に、それぞれ２本のアンテナ素子を有し、そのうち１本を通信専用とし、他の１本を通信動作及びハーベスティングを交互に行なえるように構成されている。
【００９５】
第１の無線ブロック８０１は、２．４ＧＨｚ帯を使用する無線ＬＡＮシステムにおける無線動作を行なう回路モジュールである。第１の無線ブロック８０１は、２本のアンテナ素子８１１、８１２を有している。一方のアンテナ素子８１１は、第１の無線ブロック８０１に直接接続され、通信専用に用いられる。他方のアンテナ素子８１２は、無線通信とハーベスティング兼用であり、ＳＰＤＴスイッチ８１３を介して第１の無線ブロック８０１又はＳＰ７Ｔ（Ｓｉｎｇｌｅ  Ｐｏｌｅ  ７  Ｔｈｒｏｗ：単極７投）スイッチ８０８に択一的に接続される。具体的には、ＳＰＤＴスイッチ８１３の「１」側の端子に第１の無線ブロック８０１が接続され、「２」側の端子にＳＰ７Ｔスイッチ８０８の「１」側の端子に接続されている。また、ＳＰＤＴスイッチ８１３の「２」側の端子とＳＰ７Ｔスイッチ８０８間の各伝送信号線路上には、インピーダンス整合部ＭＮ１が挿入されている。
【００９６】
第２の無線ブロック８０２は、５ＧＨｚ帯を使用する無線ＬＡＮシステムにおける無線動作を行なう回路モジュールである。第２の無線ブロック８０２は、２本のアンテナ素子８２１、８２２を有している。一方のアンテナ素子８２１は、第２の無線ブロック８０２に直接接続され、通信専用に用いられる。他方のアンテナ素子８２２は、無線通信とハーベスティング兼用であり、ＳＰＤＴスイッチ８２３を介して第２の無線ブロック８０２又はＳＰ７Ｔスイッチ８０８に択一的に接続される。具体的には、ＳＰＤＴスイッチ８２３の「１」側の端子に第２の無線ブロック８０２が接続され、「２」側の端子にＳＰ７Ｔスイッチ８０８の「２」側の端子に接続されている。また、ＳＰＤＴスイッチ８２３の「２」側の端子とＳＰ７Ｔスイッチ８０８間の各伝送信号線路上には、インピーダンス整合部ＭＮ２が挿入されている。
【００９７】
第３の無線ブロック８０３は、２．７ＧＨｚ帯を使用するＷｉＭＡＸシステムにおける無線動作を行なう回路モジュールである。第３の無線ブロック８０３は、２本のアンテナ素子８３１、８３２を有している。一方のアンテナ素子８３１は、第３の無線ブロック８０３に直接接続され、通信専用に用いられる。他方のアンテナ素子８３２は、無線通信とハーベスティング兼用であり、ＳＰＤＴスイッチ８３３を介して第３の無線ブロック８０３又はＳＰ７Ｔスイッチ８０８に択一的に接続される。具体的には、ＳＰＤＴスイッチ８３３の「１」側の端子に第３の無線ブロック８０３が接続され、「２」側の端子にＳＰ７Ｔスイッチ８０８の「３」側の端子に接続されている。また、ＳＰＤＴスイッチ８３３の「２」側の端子とＳＰ７Ｔスイッチ８０８間の各伝送信号線路上には、インピーダンス整合部ＭＮ３が挿入されている。
【００９８】
第４の無線ブロック８０４は、７００、８００、９００，１７００、１８００、２１００ＭＨｚ帯を使用するＬＴＥ（Ｌｏｎｇ  Ｔｅｒｍ  Ｅｖｏｌｕｔｉｏｎ）、３Ｇシステムにおける無線動作を行なう回路モジュールである。第４の無線ブロック８０４は、２本のアンテナ素子８４１、８４２を有している。一方のアンテナ素子８４１は、第４の無線ブロック８０４に直接接続され、通信専用に用いられる。他方のアンテナ素子８４２は、無線通信とハーベスティング兼用であり、ＳＰＤＴスイッチ８４３を介して第４の無線ブロック８０４又はＳＰ７Ｔスイッチ８０８に択一的に接続される。具体的には、ＳＰＤＴスイッチ８４３の「１」側の端子に第４の無線ブロック８０４が接続され、「２」側の端子にＳＰ７Ｔスイッチ８０８の「４」側の端子に接続されている。また、ＳＰＤＴスイッチ８４３の「２」側の端子とＳＰ７Ｔスイッチ８０８間の各伝送信号線路上には、インピーダンス整合部ＭＮ４が挿入されている。
【００９９】
第５の無線ブロック８０５は、９５０ＭＨｚ帯を使用するＲＦＩＤシステムにおける無線動作を行なう回路モジュールである。第５の無線ブロック８０５は、２本のアンテナ素子８５１、８５２を有している。一方のアンテナ素子８５１は、第５の無線ブロック８０５に直接接続され、通信専用に用いられる。他方のアンテナ素子８５２は、無線通信とハーベスティング兼用であり、ＳＰＤＴスイッチ８５３を介して第５の無線ブロック８０５又はＳＰ７Ｔスイッチ８０８に択一的に接続される。具体的には、ＳＰＤＴスイッチ８５３の「１」側の端子に第５の無線ブロック８０５が接続され、「２」側の端子にＳＰ７Ｔスイッチ８０８の「５」側の端子に接続されている。また、ＳＰＤＴスイッチ８５３の「２」側の端子とＳＰ７Ｔスイッチ８０８間の各伝送信号線路上には、インピーダンス整合部ＭＮ５が挿入されている。
【０１００】
第６の無線ブロック８０６は、６０ＧＨｚ帯を使用するＷｉｒｅｌｅｓｓＨＤシステムにおける無線動作を行なう回路モジュールである。第６の無線ブロック８０６は、２本のアンテナ素子８６１、８６２を有している。一方のアンテナ素子８６１は、第６の無線ブロック８０６に直接接続され、通信専用に用いられる。他方のアンテナ素子８６２は、無線通信とハーベスティング兼用であり、ＳＰＤＴスイッチ８６３を介して第６の無線ブロック８０６又はＳＰ７Ｔスイッチ８０８に択一的に接続される。具体的には、ＳＰＤＴスイッチ８６３の「１」側の端子に第６の無線ブロック８０６が接続され、「２」側の端子にＳＰ７Ｔスイッチ８０８の「６」側の端子に接続されている。また、ＳＰＤＴスイッチ８６３の「２」側の端子とＳＰ７Ｔスイッチ８０８間の各伝送信号線路上には、インピーダンス整合部ＭＮ６が挿入されている。
【０１０１】
第７の無線ブロック８０７は、２．４ＧＨｚ帯を使用するＢｌｅｔｏｏｔｈ通信システム（若しくはその他の無線通信システム）における無線動作を行なう回路モジュールである。第７の無線ブロック８０７は、２本のアンテナ素子８７１、８７２を有している。一方のアンテナ素子８７１は、第７の無線ブロック８０７に直接接続され、通信専用に用いられる。他方のアンテナ素子８７２は、無線通信とハーベスティング兼用であり、ＳＰＤＴスイッチ８７３を介して第７の無線ブロック８０７又はＳＰ７Ｔスイッチ８０８に択一的に接続される。具体的には、ＳＰＤＴスイッチ８７３の「１」側の端子に第７の無線ブロック８０７が接続され、「２」側の端子にＳＰ７Ｔスイッチ８０８の「７」側の端子に接続されている。また、ＳＰＤＴスイッチ８７３の「２」側の端子とＳＰ７Ｔスイッチ８０８間の各伝送信号線路上には、インピーダンス整合部ＭＮ７が挿入されている。
【０１０２】
ＳＰ７Ｔスイッチ８０８の単極には、ハーベスティング・ブロック８０９が接続されている。ハーベスティング・ブロック８０９は、入力信号を整流する整流部８０９Ａと、整流部８０９Ａからの出力をＤＣ電源として回収する電力回収部８０９Ｂを備えている。
【０１０３】
ＳＰＤＴスイッチ８１３の「２」側の端子とＳＰ７Ｔスイッチ８０８の「１」側の端子を連動してイネーブルにすると、第１の無線ブロック８０１は、一方のアンテナ素子８１１のみを用いてＳＩＳＯで無線通信動作を行なう。また、他方のアンテナ素子８１２の受信信号は、ＭＮ１でインピーダンスの整合がとられた後、ハーベスティング・ブロック８０９に入力され、整流して電力として回収される。他方、ＳＰＤＴスイッチ８１３の「１」側の端子をイネーブルにすると、第１の無線ブロック８０１は、２本のアンテナ素子８１１、８１２を同時に用いてＭＩＭＯで無線通信動作を行なう。いずれにせよ、第１の無線ブロック８０１の通信動作自体は持続される。
【０１０４】
ＳＰＤＴスイッチ８２３の「２」側の端子とＳＰ７Ｔスイッチ８０８の「２」側の端子を連動してイネーブルにすると、第２の無線ブロック８０２は、一方のアンテナ素子８２１のみを用いてＳＩＳＯで無線通信動作を行なう。また、他方のアンテナ素子８２２の受信信号は、ＭＮ２でインピーダンスの整合がとられた後、ハーベスティング・ブロック８０９に入力され、整流して電力として回収される。他方、ＳＰＤＴスイッチ８２３の「１」側の端子をイネーブルにすると、第２の無線ブロック８０２は、２本のアンテナ素子８２１、８２２を同時に用いてＭＩＭＯで無線通信動作を行なう。いずれにせよ、第２の無線ブロック８０２の通信動作自体は持続される。
【０１０５】
ＳＰＤＴスイッチ８３３の「２」側の端子とＳＰ７Ｔスイッチ８０８の「３」側の端子を連動してイネーブルにすると、第３の無線ブロック８０３は、一方のアンテナ素子８３１のみを用いてＳＩＳＯで無線通信動作を行なう。また、他方のアンテナ素子８３２の受信信号は、ＭＮ３２でインピーダンスの整合がとられた後、ハーベスティング・ブロック８０９に入力され、整流して電力として回収される。他方、ＳＰＤＴスイッチ８３３の「１」側の端子をイネーブルにすると、第３の無線ブロック８０３は、２本のアンテナ素子８３１、８３２を同時に用いてＭＩＭＯで無線通信動作を行なう。いずれにせよ、第３の無線ブロック８０３の通信動作自体は持続される。
【０１０６】
ＳＰＤＴスイッチ８４３の「２」側の端子とＳＰ７Ｔスイッチ８０８の「４」側の端子を連動してイネーブルにすると、第４の無線ブロック８０４は、一方のアンテナ素子８４１のみを用いてＳＩＳＯで無線通信動作を行なう。また、他方のアンテナ素子８４２の受信信号は、ＭＮ４でインピーダンスの整合がとられた後、ハーベスティング・ブロック８０９に入力され、整流して電力として回収される。他方、ＳＰＤＴスイッチ８４３の「１」側の端子をイネーブルにすると、第４の無線ブロック８０４は、２本のアンテナ素子８４１、８４２を同時に用いてＭＩＭＯで無線通信動作を行なう。いずれにせよ、第４の無線ブロック８０４の通信動作自体は持続される。
【０１０７】
ＳＰＤＴスイッチ８５３の「２」側の端子とＳＰ７Ｔスイッチ８０８の「５」側の端子を連動してイネーブルにすると、第５の無線ブロック８０５は、一方のアンテナ素子８５１のみを用いてＳＩＳＯで無線通信動作を行なう。また、他方のアンテナ素子８５２の受信信号は、ＭＮ５でインピーダンスの整合がとられた後、ハーベスティング・ブロック８０９に入力され、整流して電力として回収される。他方、ＳＰＤＴスイッチ８５３の「１」側の端子をイネーブルにすると、第５の無線ブロック８０５は、２本のアンテナ素子８５１、８５２を同時に用いてＭＩＭＯで無線通信動作を行なう。いずれにせよ、第５の無線ブロック８０５の通信動作自体は持続される。
【０１０８】
ＳＰＤＴスイッチ８６３の「２」側の端子とＳＰ７Ｔスイッチ８０８の「６」側の端子を連動してイネーブルにすると、第６の無線ブロック８０６は、一方のアンテナ素子８６１のみを用いてＳＩＳＯで無線通信動作を行なう。また、他方のアンテナ素子８６２の受信信号は、ＭＮ６でインピーダンスの整合がとられた後、ハーベスティング・ブロック８０９に入力され、整流して電力として回収される。他方、ＳＰＤＴスイッチ８６３の「１」側の端子をイネーブルにすると、第６の無線ブロック８０６は、２本のアンテナ素子８６１、８６２を同時に用いてＭＩＭＯで無線通信動作を行なう。いずれにせよ、第６の無線ブロック８０６の通信動作自体は持続される。
【０１０９】
ＳＰＤＴスイッチ８７３の「２」側の端子とＳＰ７Ｔスイッチ８０８の「７」側の端子を連動してイネーブルにすると、第７の無線ブロック８０７は、一方のアンテナ素子８７１のみを用いてＳＩＳＯで無線通信動作を行なう。また、他方のアンテナ素子８７２の受信信号は、ＭＮ７でインピーダンスの整合がとられた後、ハーベスティング・ブロック８０９に入力され、整流して電力として回収される。他方、ＳＰＤＴスイッチ８７３の「１」側の端子をイネーブルにすると、第７の無線ブロック８０７は、２本のアンテナ素子８７１、８７２を同時に用いてＭＩＭＯで無線通信動作を行なう。いずれにせよ、第７の無線ブロック８０７の通信動作自体は持続される。
【０１１０】
なお、上記では、各ＳＰＤＴスイッチ８１３、８２３、…、８７３の「２」側の端子と、ＳＰ７Ｔスイッチ８０８の対応する端子が連動してイネーブルすると述べたが、対応する端子同士が同時にイネーブルされているとは限らない。いずれの無線ブロックでハーベスティングを行なうべきかを、上記のように各無線ブロック８０１〜８０７のＲＳＳＩを評価基準に用いて選択し、選択した無線ブロックに対応するＳＰ７Ｔスイッチ８０８の端子をイネーブルにしておく。また、各無線ブロック８０１〜８０７はいずれも、図４に示した無線通信装置４００と同様のアンテナ構成を備えており、例えば図５に示した第３のハーベスティング・モードの動作手順に従って動作して、十分な通信速度を得ることができるデューティー比でＳＰＤＴスイッチの切り替えを行なって、ハーベスティングを行なうようにすればよい。
【０１１１】
したがって、無線通信装置８００は、複数の無線ブロック８０１〜８０７のうち受信信号強度（Ｒｅｃｅｉｖｅｄ  Ｓｉｇｎａｌ  Ｓｔｒｅｎｇｔｈ  Ｉｎｄｉｃａｔｉｏｎ）が最大のものを判別、選択して、電波を好適に回収して利用することができる。
【０１１２】
図９には、無線通信装置８００がハーベスティングを行なう際の動作手順をフローチャートの形式で示している。
【０１１３】
例えば定期的に（ステップＳ９０４のＹｅｓ）、各無線ブロック８０１〜８０７のＲＳＳＩを計測する（ステップＳ９０１）。そして、ＲＳＳＩが最大となる無線ブロックを選択して（ステップＳ９０２）、ハーベスティングを行なう（ステップＳ９０３）。ハーベスティングは、選択された無線ブロックにおけるＳＰＤＴスイッチの「２」側の端子とＳＰ７Ｔスイッチ８０８の対応する端子を連動してイネーブルにすることによって、行なわれる。
【０１１４】
ステップＳ９０２で選択された無線ブロックは、例えば図５に示した第３のハーベスティング・モードの動作手順に従ってＳＰＤＴスイッチの切り換えを行なって、ステップＳ９０３のハーベスティングを行なう。あるいは、選択された無線ブロックは、選択されている期間中はＳＰＤＴスイッチの「２」側の端子をイネーブルに固定して、常時ハーベスティングを行なうようにしてもよい。
【０１１５】
図１０には、アンテナ８１２、８２２、…、８７２側（ＳＰＤＴ）とハーベスティング・ブロック８０８との間に配設されるインピーダンス整合部ＭＮ１〜ＭＮ７の構成例を示している。図示のように、インピーダンス整合部は、ＬＣの直列共振と並列共振の組み合わせ、乃至、どちらか一方、あるいは、Ｌ、Ｃ単体など、特性に応じて形成される。
【０１１６】
図８に示した無線通信装置８００は、互いに異なる無線周波数を利用する無線ブロック８０１〜８０７同士で、単一のハーベスティング・ブロック８００を共用するように構成されている。したがって、使用周波数の相違を吸収するよう、各インピーダンス整合部ＭＮ１〜ＭＮ７の定数を決定する必要がある。
【０１１７】
図１１には、本明細書で開示する技術の第５の実施形態に係る無線通信装置１１００の構成を模式的に示している。
【０１１８】
図示の無線通信装置１１００は、図８に示した無線通信装置８００と同様に、互いに異なる無線周波数を利用する複数の無線ブロック１１０１〜１１０７を備えている。また、各無線ブロック１１０１〜１１０７は、図４に示した実施形態と同様に、それぞれ２本のアンテナ素子を有し、そのうち１本を通信専用とし、他の１本を通信動作及びハーベスティングを交互に行なえるように構成されている。
【０１１９】
第１の無線ブロック１１０１は、２．４ＧＨｚ帯を使用する無線ＬＡＮシステムにおける無線動作を行なう回路モジュールである。一方のアンテナ素子１１１１は、第１の無線ブロック１１０１に直接接続され、通信専用に用いられる。他方のアンテナ素子１１１２は、ＳＰＤＴスイッチ１１１３を介して、第１の無線ブロック８０１又は自分用のハーベスティング・ブロック１１１４に択一的に接続される。具体的には、ＳＰＤＴスイッチ１１１３の「１」側の端子に第１の無線ブロック１１０１が接続され、「２」側の端子にハーベスティング・ブロック１１１４が接続されている。また、ＳＰＤＴスイッチ１１１３の「２」側の端子とハーベスティング・ブロック１１１４間の各伝送信号線路上には、インピーダンス整合部ＭＮ１が挿入されている。
【０１２０】
第２の無線ブロック１１０２は、５ＧＨｚ帯を使用する無線ＬＡＮシステムにおける無線動作を行なう回路モジュールである。一方のアンテナ素子１１２１は、第２の無線ブロック１１０２に直接接続され、通信専用に用いられる。他方のアンテナ素子１１２２は、ＳＰＤＴスイッチ１１２３を介して、第２の無線ブロック１１０２又は自分用のハーベスティング・ブロック１１２４に択一的に接続される。具体的には、ＳＰＤＴスイッチ１１２３の「１」側の端子に第２の無線ブロック１１０２が接続され、「２」側の端子にハーベスティング・ブロック１１２４が接続されている。また、ＳＰＤＴスイッチ１１２３の「２」側の端子とハーベスティング・ブロック１１２４間の各伝送信号線路上には、インピーダンス整合部ＭＮ２が挿入されている。
【０１２１】
第３の無線ブロック１１０３は、２．７ＧＨｚ帯を使用するＷｉＭＡＸシステムにおける無線動作を行なう回路モジュールである。一方のアンテナ素子１１３１は、第３の無線ブロック１１０３に直接接続され、通信専用に用いられる。他方のアンテナ素子１１３２は、ＳＰＤＴスイッチ１１３３を介して、第３の無線ブロック８０３又は自分用のハーベスティング・ブロック１１３４に択一的に接続される。具体的には、ＳＰＤＴスイッチ１１３３の「１」側の端子に第３の無線ブロック１１０３が接続され、「２」側の端子にハーベスティング・ブロック１１３４が接続されている。また、ＳＰＤＴスイッチ１１３３の「２」側の端子とハーベスティング・ブロック１１３４間の各伝送信号線路上には、インピーダンス整合部ＭＮ３が挿入されている。
【０１２２】
第４の無線ブロック１１０４は、７００、８００、９００，１７００、１８００、２１００ＭＨｚ帯を使用するＬＴＥ（Ｌｏｎｇ  Ｔｅｒｍ  Ｅｖｏｌｕｔｉｏｎ）、３Ｇシステムにおける無線動作を行なう回路モジュールである。一方のアンテナ素子１１４１は、第４の無線ブロック１１０４に直接接続され、通信専用に用いられる。他方のアンテナ素子１１４２は、ＳＰＤＴスイッチ８４３を介して、第４の無線ブロック１１０４又は自分用のハーベスティング・ブロック１１４４に択一的に接続される。具体的には、ＳＰＤＴスイッチ１１４３の「１」側の端子に第４の無線ブロック１１０４が接続され、「２」側の端子にハーベスティング・ブロック１１４４が接続されている。また、ＳＰＤＴスイッチ１１４３の「２」側の端子とハーベスティング・ブロック１１４４間の各伝送信号線路上には、インピーダンス整合部ＭＮ４が挿入されている。
【０１２３】
第５の無線ブロック１１０５は、９５０ＭＨｚ帯を使用するＲＦＩＤシステムにおける無線動作を行なう回路モジュールである。一方のアンテナ素子１１５１は、第５の無線ブロック８０５に直接接続され、通信専用に用いられる。他方のアンテナ素子１１５２は、ＳＰＤＴスイッチ１１５３を介して、第５の無線ブロック１１０５又は自分用のハーベスティング・ブロック１１５４に択一的に接続される。具体的には、ＳＰＤＴスイッチ１１５３の「１」側の端子に第５の無線ブロック１１０５が接続され、「２」側の端子にハーベスティング・ブロック１１５４が接続されている。また、ＳＰＤＴスイッチ１１５３の「２」側の端子とハーベスティング・ブロック１１５４間の各伝送信号線路上には、インピーダンス整合部ＭＮ５が挿入されている。
【０１２４】
第６の無線ブロック１１０６は、６０ＧＨｚ帯を使用するＷｉｒｅｌｅｓｓＨＤシステムにおける無線動作を行なう回路モジュールである。一方のアンテナ素子１１６１は、第６の無線ブロック１１０６に直接接続され、通信専用に用いられる。他方のアンテナ素子１１６２は、ＳＰＤＴスイッチ１１６３を介して、第６の無線ブロック１１０６又は自分用のハーベスティング・ブロック１１６４に択一的に接続される。具体的には、ＳＰＤＴスイッチ１１６３の「１」側の端子に第６の無線ブロック１１０６が接続され、「２」側の端子にハーベスティング・ブロック１１６４が接続されている。また、ＳＰＤＴスイッチ１１６３の「２」側の端子とハーベスティング・ブロック１１６４間の各伝送信号線路上には、インピーダンス整合部ＭＮ６が挿入されている。
【０１２５】
第７の無線ブロック１１０７は、２．４ＧＨｚ帯を使用するＢｌｅｔｏｏｔｈ通信システム（若しくはその他の無線通信システム）における無線動作を行なう回路モジュールである。一方のアンテナ素子１１７１は、第７の無線ブロック１１０７に直接接続され、通信専用に用いられる。他方のアンテナ素子１１７２は、ＳＰＤＴスイッチ１１７３を介して第７の無線ブロック１１０７又は自分用のハーベスティング・ブロック１１７４に択一的に接続される。具体的には、ＳＰＤＴスイッチ１１７３の「１」側の端子に第７の無線ブロック１１０７が接続され、「２」側の端子にＳ自分用のハーベスティング・ブロック１１７４が接続されている。また、ＳＰＤＴスイッチ１１７３の「２」側の端子と自分用のハーベスティング・ブロック１１７４間の各伝送信号線路上には、インピーダンス整合部ＭＮ７が挿入されている。
【０１２６】
図８に示した無線通信装置８００は、いずれか１つの無線ブロックをＳＰ７Ｔスイッチ８０８で選択して、択一的にハーベスティングを行なうように構成されている。これに対し、図１１に示した無線通信装置１１００では、ハーベスティングを行なう無線ブロックの個数は特に限定されない。すなわち、各無線ブロック１１０１〜１１０７は、図５に示したような第３のハーベスティング・モードの動作手順に従って動作して、十分な通信速度を得ることができるデューティー比でＳＰＤＴスイッチの切り替えを行なって、それぞれハーベスティングを行なうことができる。
【０１２７】
なお、本明細書の開示の技術は、以下のような構成をとることも可能である。
（１）少なくとも１本の電力回収兼用アンテナと、前記電力回収兼用アンテナで送受信する無線信号を処理する無線ブロックと、前記電力回収兼用アンテナの受信信号から電力を回収する電力回収ブロックと、前記電力回収兼用アンテナを前記無線ブロック又は前記電力回収ブロックに接続切換する接続切換部とを具備し、前記無線ブロックが所望する通信速度に達するように、前記接続切換部が前記電力回収兼用アンテナを前記無線ブロック並びに前記電力回収ブロックに接続するデューティー比を設定する、無線通信装置。
（２）前記デューティー比の設定限界においても前記無線ブロックが前記所望する通信速度に達しないときには、前記接続切換部が前記電力回収兼用アンテナを前記無線ブロックへの接続に固定する、上記（１）に記載の無線通信装置。
（３）前記電力回収兼用アンテナを複数本備える、上記（１）に記載の無線通信装置。
（４）前記デューティー比の設定限界においても前記無線ブロックが前記所望する通信速度に達しないときには、前記複数の電力回収兼用アンテナのうち前記接続切換部が前記無線ブロックへの接続に固定する本数を順次増やしていく、上記（３）に記載の無線通信装置。
（５）前記デューティー比の設定限界においても前記無線ブロックが前記所望する通信速度に達しないときには、前記複数の電力回収兼用アンテナのうち前記接続切換部が前記無線ブロックへの接続に固定するアンテナを変更する、上記（４）に記載の無線通信装置。
（６）前記無線ブロックは、前記接続切換部が複数本の前記電力回収兼用アンテナを前記無線ブロックに接続しているときにはＭＩＭＯで通信処理を行ない、１本の前記電力回収兼用アンテナのみを前記無線ブロックに接続しているときはＳＩＳＯで通信処理を行ない、前記電力回収編用アンテナがまったく前記無線ブロックに接続されないときには通信処理を停止する、上記（３）に記載の無線通信装置。
（７）前記接続切換部を介さず前記無線ブロックに直接接続される少なくとも１本の通信専用アンテナをさらに備える、上記（１）に記載の無線通信装置。
（８）前記デューティー比の設定限界においても前記無線ブロックが前記所望する通信速度に達しないときには、前記接続切換部が前記電力回収兼用アンテナを前記無線ブロックへの接続に固定する、上記（７）に記載の無線通信装置。
（９）前記無線ブロックは、前記接続切換部が少なくとも１本の前記電力回収兼用アンテナを前記無線ブロックに接続しているときには前記通信専用アンテナとともに用いてＭＩＭＯで通信処理を行ない、１本の前記通信専用アンテナのみが前記無線ブロックに接続されているときはＳＩＳＯで通信処理を行なう、上記（７）に記載の無線通信装置。
（１０）それぞれ電力回収兼用アンテナを有して前記電力回収兼用アンテナで送受信する無線信号を処理する複数の無線ブロックと、前記の各無線ブロックが有する前記電力回収兼用アンテナの受信信号から電力を回収する電力回収ブロックと、前記複数の無線ブロックのうちいずれの前記電力回収兼用アンテナ用いて前記前記電力回収ブロックで電力の回収を行なうかを選択する選択部と、を具備する無線通信装置。
（１１）前記複数の無線ブロックは互いに異なる無線周波数を利用する、上記（１０）に記載の無線通信装置。
（１２）前記選択部は、前記複数の無線ブロックのそれぞれの受信信号強度に基づいて、前記複数の無線ブロックのうちいずれの前記電力回収兼用アンテナ用いて前記前記電力回収ブロックで電力の回収を行なうかを選択する、上記（１０）に記載の無線通信装置。
（１３）前記複数の無線ブロックはそれぞれ、自分が有する前記電力回収兼用アンテナを前記無線ブロック又は前記選択部を介して前記電力回収ブロックに接続切換する接続切換部を備える、上記（１０）に記載の無線通信装置。
（１４）前記選択部によって選択された前記無線ブロックでは、所望する通信速度に達するように、前記接続切換部が前記電力回収兼用アンテナを前記無線ブロック並びに前記電力回収ブロックに接続するデューティー比を設定する、上記（１３）に記載の無線通信装置。
（１５）前記選択部によって選択された前記無線ブロックでは、前記デューティー比の設定限界においても前記所望する通信速度に達しないときには、前記接続切換部が前記電力回収兼用アンテナを前記無線ブロックへの接続に固定する、上記（１４）に記載の無線通信装置。
（１６）前記複数の無線ブロックのうち少なくとも一部は、前記接続切換部を介さず自分に直接接続される少なくとも１本の通信専用アンテナをさらに備える、上記（１０）に記載の無線通信装置。
（１７）それぞれ無線信号を処理する複数の無線ブロックと、前記複数の無線ブロックの各々に設けられた電力回収兼用アンテナと、前記の各無線ブロックが有する前記電力回収兼用アンテナの受信信号から電力を回収する電力回収ブロックと、前記複数の無線ブロックの各々に設けられた、前記電力回収兼用アンテナを前記無線ブロック又は前記電力回収ブロックに接続切換する接続切換部と、を具備する無線通信装置。
（１８）前記複数の無線ブロックはそれぞれ、自分が有する前記電力回収兼用アンテナを前記無線ブロック又は前記選択部を介して前記電力回収ブロックに接続切換する接続切換部を備える、上記（１７）に記載の無線通信装置。
（１９）前記複数の無線ブロックの各々に設けられた前記接続切換部はそれぞれ、前記無線ブロックで所望する通信速度に達するように前記電力回収兼用アンテナを前記無線ブロック並びに前記電力回収ブロックに接続するデューティー比を設定する、上記（１７）に記載の無線通信装置。
（２０）前記複数の無線ブロックの各々に設けられた前記接続切換部はそれぞれ、前記デューティー比の設定限界においても前記所望する通信速度に達しないときには、前記電力回収兼用アンテナを前記無線ブロックへの接続に固定する、上記（１９）に記載の無線通信装置。
（２１）前記複数の無線ブロックのうち少なくとも一部は、前記接続切換部を介さず自分に直接接続される少なくとも１本の通信専用アンテナをさらに備える、上記（１７）に記載の無線通信装置。
（２２）少なくとも１本の電力回収兼用アンテナと、前記電力回収兼用アンテナで送受信する無線信号を処理する無線ブロックと、前記電力回収兼用アンテナの受信信号から電力を回収する電力回収ブロックと、前記電力回収兼用アンテナを前記無線ブロック又は前記電力回収ブロックに接続切換する接続切換部と、を具備し、前記無線ブロックが所望する通信速度に達するように、前記接続切換部が前記電力回収兼用アンテナを前記無線ブロック並びに前記電力回収ブロックに接続するデューティー比を設定する、電子機器。
（２３）それぞれ電力回収兼用アンテナを有して前記電力回収兼用アンテナで送受信する無線信号を処理する複数の無線ブロックと、前記の各無線ブロックが有する前記電力回収兼用アンテナの受信信号から電力を回収する電力回収ブロックと、前記複数の無線ブロックのうちいずれの前記電力回収兼用アンテナ用いて前記前記電力回収ブロックで電力の回収を行なうかを選択する選択部と、を具備する電子機器。
（２４）それぞれ無線信号を処理する複数の無線ブロックと、前記複数の無線ブロックの各々に設けられた電力回収兼用アンテナと、前記の各無線ブロックが有する前記電力回収兼用アンテナの受信信号から電力を回収する電力回収ブロックと、前記複数の無線ブロックの各々に設けられた、前記電力回収兼用アンテナを前記無線ブロック又は前記電力回収ブロックに接続切換する接続切換部と、を具備する電子機器。
【産業上の利用可能性】
【０１２８】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０１２９】
本明細書で開示する技術は、電子ブックやノートブックＰＣ、タブレット、コミュニケーターなどの情報端末に適用することができ、情報端末の利用形態などに応じて通信とハーベスティングの動作を切り換えて、空間の電波エネルギー資源を効果的に活用することができる。また、情報端末がアクセスポイントや基地局に近い状況の場合には、特に大きな電力回収の効果が期待できる。
【０１３０】
要するに、例示という形態で本技術を開示してきたのであり、本明細書の記載内容を限定的に解釈するべきではない。本技術の要旨を判断するためには、特許請求の範囲を参酌すべきである。
【符号の説明】
【０１３１】
１００…無線通信装置
１０１…第１のアンテナ素子
１０２…第２のアンテナ素子
１０３、１０４…ＳＰＤＴ
１０５…無線ブロック
１０６…ハーベスティング・ブロック
１０６Ａ…整流部
１０６Ｂ…電力回収部
４００…無線通信装置
４０１…第１のアンテナ素子
４０２…第２のアンテナ素子
４０４…ＳＰＤＴ
４０５…無線ブロック
４０６…ハーベスティング・ブロック
４０６Ａ…整流部
４０６Ｂ…電力回収部
６００…無線通信装置
６０１…アンテナ素子
６０３…ＳＰＤＴ
６０５…無線ブロック
６０６…ハーベスティング・ブロック
８００…無線通信装置
８０１…第１の無線ブロック
８１１、８１２…アンテナ素子、８１３…ＳＰＤＴスイッチ
８０２…第２の無線ブロック
８２１、８２２…アンテナ素子、８２３…ＳＰＤＴスイッチ
８０３…第３の無線ブロック
８３１、８３２…アンテナ素子、８３３…ＳＰＤＴスイッチ
８０４…第４の無線ブロック
８４１、８４２…アンテナ素子、８４３…ＳＰＤＴスイッチ
８０５…第５の無線ブロック
８５１、８５２…アンテナ素子、８５３…ＳＰＤＴスイッチ
８０６…第６の無線ブロック
８６１、８６２…アンテナ素子、８６３…ＳＰＤＴスイッチ
８０７…第７の無線ブロック
８７１、８７２…アンテナ素子、８７３…ＳＰＤＴスイッチ
８０８…ＳＰ７Ｔスイッチ
８０９…ハーベスティング・ブロック
１１００…無線通信装置
１１０１…第１の無線ブロック、１１１１、１１１２…アンテナ素子
１１１３…ＳＰＤＴスイッチ、１１１４…ハーベスティング・ブロック
１１０２…第２の無線ブロック、１１２１、１１２２…アンテナ素子
１１２３…ＳＰＤＴスイッチ、１１２４…ハーベスティング・ブロック
１１０１…第１の無線ブロック、１１１１、１１１２…アンテナ素子
１１１３…ＳＰＤＴスイッチ、１１１４…ハーベスティング・ブロック
１１０１…第１の無線ブロック、１１１１、１１１２…アンテナ素子
１１１３…ＳＰＤＴスイッチ、１１１４…ハーベスティング・ブロック
１１０１…第１の無線ブロック、１１１１、１１１２…アンテナ素子
１１１３…ＳＰＤＴスイッチ、１１１４…ハーベスティング・ブロック
１１０１…第１の無線ブロック、１１１１、１１１２…アンテナ素子
１１１３…ＳＰＤＴスイッチ、１１１４…ハーベスティング・ブロック
１１０１…第１の無線ブロック、１１１１、１１１２…アンテナ素子
１１１３…ＳＰＤＴスイッチ、１１１４…ハーベスティング・ブロック
【図１】
0005704016.tif 000002
【図２】
0005704016.tif 000003
【図３】
0005704016.tif 000004
【図４】
0005704016.tif 000005
【図５】
0005704016.tif 000006
【図６】
0005704016.tif 000007
【図７】
0005704016.tif 000008
【図８】
0005704016.tif 000009
【図９】
0005704016.tif 000010
【図１０】
0005704016.tif 000011
【図１１】
0005704016.tif 000012